(57)【要約】【課題】シャックルロッドとシャックルパイプとの衝突による不快な音の発生を防止することができるエレベータの秤装置を提供する。【解決手段】エレベータのかごを支持した支持体１と、エレベータの主索に接続され、支持体１を鉛直方向に貫通したシャックルロッド４と、シャックルロッド４の下部と支持体１との間でシャックルロッド４に貫通され、支持体１を弾性支持したシャックルバネ７と、シャックルバネ７の内側でシャックルロッド４に貫通され、支持体１を貫通して、支持体１の上方で、かごの荷重を検出するための検出板１０を支持したシャックルパイプ８と、シャックルロッド４及びシャックルパイプ８よりも柔軟に形成されてシャックルロッド４とシャックルパイプ８との間に介在され、シャックルロッド４とシャックルパイプ８との接触を防止するシート１１とを備えた。【選択図】図１
2010179979.tif 000002
【特許請求の範囲】
【請求項１】
エレベータのかごを支持した支持体と、
前記エレベータの主索に接続され、前記支持体を鉛直方向に貫通したシャックルロッドと、
前記シャックルロッドの下部と前記支持体との間で前記シャックルロッドに貫通され、前記支持体を弾性支持したシャックルバネと、
前記シャックルバネの内側で前記シャックルロッドに貫通され、前記支持体を貫通して、前記支持体の上方で、前記かごの荷重を検出するための検出板を支持したシャックルパイプと、
前記シャックルロッド及び前記シャックルパイプよりも柔軟に形成されて前記シャックルロッドと前記シャックルパイプとの間に介在され、前記シャックルロッドと前記シャックルパイプとの接触を防止するシートと、
を備えたことを特徴とするエレベータの秤装置。
【請求項２】
前記シートは、前記シャックルパイプの全高に渡って配置されたことを特徴とする請求項１記載のエレベータの秤装置。
【請求項３】
前記シートは、水平投影面上で前記シャックルロッドを囲んだことを特徴とする請求項２記載のエレベータの秤装置。
【請求項４】
前記シートは、横断面波目状に形成されたことを特徴とする請求項３記載のエレベータの秤装置。
【発明の詳細な説明】
【技術分野】
【０００１】
この発明は、エレベータの秤装置に関するものである。
【背景技術】
【０００２】
かごを支持する支持体、例えば、かご枠の上梁等にエレベータの秤装置が取付けられる場合、シャックルロッドは、シャックルバネの内側に貫通される。このシャックルバネの内側には、シャックルパイプがシャックルロッドに貫通される。このシャックルパイプの上部には、検出板が支持される。そして、検出板と上梁との間の距離に基づいて、かごの荷重が検出される（例えば、特許文献１参照）。
【先行技術文献】
【特許文献】
【０００３】
【特許文献１】特開平３−９８９７４号公報
【発明の概要】
【発明が解決しようとする課題】
【０００４】
ここで、シャックルロッドとシャックルバネとの隙間は、元々小さい。従って、シャックルロッドとシャックルパイプとの隙間は、更に小さいものとなる。このため、かごの振動や揺れが発生した場合、シャックルロッドとシャックルパイプとが衝突して、金属接触音が発生し、かご内の乗客に不快な音として伝わることがあるという問題があった。
【０００５】
この発明は、上述のような課題を解決するためになされたもので、その目的は、シャックルロッドとシャックルパイプとの衝突による不快な音の発生を防止することができるエレベータの秤装置を提供することである。
【課題を解決するための手段】
【０００６】
この発明に係るエレベータの秤装置は、エレベータのかごを支持した支持体と、前記エレベータの主索に接続され、前記支持体を鉛直方向に貫通したシャックルロッドと、前記シャックルロッドの下部と前記支持体との間で前記シャックルロッドに貫通され、前記支持体を弾性支持したシャックルバネと、前記シャックルバネの内側で前記シャックルロッドに貫通され、前記支持体を貫通して、前記支持体の上方で、前記かごの荷重を検出するための検出板を支持したシャックルパイプと、前記シャックルロッド及び前記シャックルパイプよりも柔軟に形成されて前記シャックルロッドと前記シャックルパイプとの間に介在され、前記シャックルロッドと前記シャックルパイプとの接触を防止するシートとを備えたものである。
【発明の効果】
【０００７】
この発明によれば、シャックルロッドとシャックルパイプとの衝突による不快な音の発生を防止することができる。
【図面の簡単な説明】
【０００８】
【図１】この発明の実施の形態１におけるエレベータの秤装置の要部縦断面図である。
【図２】図１のＡ−Ａ線における横断面図である。
【図３】この発明の実施の形態２におけるエレベータの秤装置の図２相当図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
一般に、エレベータのかご及び釣合おもりは、主索に吊持される。この主索は、巻上機に巻き掛けられる。この巻上機が回転駆動されると、主索が移動する。この移動により、かごが昇降する。そして、主索のかご側端部には、秤装置が設けられる。この秤装置は、かごの荷重を検出する機能を備える。具体的は、秤装置は、支持体、シャックルロッド、シャックルバネ、シャックルパイプ、検出板等を備える。
【００１１】
上記構成のエレベータにおいて、かごの振動や揺れが発生した場合、シャックルロッドとシャックルパイプとが衝突して、金属接触音が発生し、かご内の乗客に不快な音として伝わることがある。
そこで、本実施の形態１においては、上記金属接触音の発生を防止する秤装置が構成される。以下、図１及び図２を用いて、実施の形態１における秤装置を説明する。
【００１２】
図１はこの発明の実施の形態１におけるエレベータの秤装置の要部縦断面図である。図２は図１のＡ−Ａ線における横断面図である。
図１において、１は支持体である。この支持体１は、例えば、かご枠の上梁である。この支持体１は、エレベータのかごを支持する。この支持体１には、貫通穴２が設けられる。そして、貫通穴２の下方には、第１ばね座３が設けられる。この第１ばね座３の下方には、凹部が形成される。
【００１３】
４はシャックルロッドである。このシャックルロッド４は、金属からなる。このシャックルロッド４は、エレベータの主索下端に接続される。このシャックルロッド４は、支持体１と第１ばね座３とを鉛直方向に貫通する。そして、シャックルロッド４の下部には、ねじ部が形成される。このねじ部には、ナット５が締結される。これらのナット上部には、第２ばね座６が設けられる。この第２ばね座６は、シャックルロッド４に貫通される。そして、シャックルロッド４の下部と支持体１との間、具体的には、第１ばね座３の凹部と第２ばね座６の鍔部との間に、シャックルバネ７が設けられる。このシャックルバネ７は、シャックルロッド４に貫通される。このシャックルバネ７は、支持体１を弾性支持する。
【００１４】
また、シャックルバネ７の内側かつ第２ばね座６上方には、シャックルパイプ８が設けられる。このシャックルパイプ８は、金属からなる。このシャックルパイプ８は、シャックルロッド４に貫通される。このシャックルパイプ８は、支持体１を貫通する。そして、シャックルパイプ８上部には、ナット９が設けられる。このナット９は、シャックルロッド４に締結される。そして、ナット９上面には、検出板１０が設けられる。この検出板１０は、シャックルロッド４に貫通される。
【００１５】
かかる構成のエレベータの秤装置においては、かごの重量の増減に応じて、シャックルバネ７の圧縮量も増減する。そして、検出板１０と支持体１との距離に基づいて、かごの荷重が検出される。
【００１６】
本実施の形態においては、さらに、シャックルロッド４とシャックルパイプ８との間に、シート１１が介在される。このシート１１は、シャックルロッド４及びシャックルパイプ８よりも柔軟に形成される。具体的には、シート１１は、紙、樹脂等から形成される。
このシート１１は、シャックルパイプ８の略全高に渡って配置される。具体的には、シート１１は、図２に示すように、横断面略円状に形成され、水平投影面上でシャックルパイプ８外周面の略全体を囲んでいる。
【００１７】
上記構成のエレベータの秤装置において、かごの振動や揺れが発生すると、シャックルロッド４外周面がシャックルパイプ８内周面の一側に近づくように移動する。そして、シャックルロッド４外周面は、シート１１のシャックルパイプ８内周面一側近傍と接触する。しかし、シート１１は柔軟であるため、シート１１とシャックルロッド４との接触音はほとんど発生しない。
【００１８】
さらに、シート１１は、シャックルロッド４に押され、シャックルパイプ８内周面一側に接触する。しかし、シート１１は柔軟であるため、シート１１とシャックルパイプ８との接触音はほとんどしない。そして、シート１１は、シャックルロッド４外周面とシャックルパイプ８内周面に挟まれる。これにより、シャックルロッド４とシャックルパイプ８との接触が防止される。
【００１９】
以上で説明した実施の形態１によれば、シート１１は、シャックルロッド４とシャックルパイプ８との間に介在される。このシート１１は、シャックルロッド４及びシャックルパイプ８よりも柔軟に形成される。このため、シャックルロッド４とシャックルパイプ８、即ち、金属同士の衝突による不快な音の発生を防止することができる。
【００２０】
また、シート１１はシャックルパイプ８の全高に渡って配置される。このため、シャックルロッド４が製造上の公差として、若干の曲がりを有する場合でも、より確実に、シャックルロッド４とシャックルパイプ８との衝突による不快な音の発生を防止することができる。
【００２１】
さらに、シート１１は、水平投影面上でシャックルロッド４を囲んでいる。このため、いずれの方向にかごが揺れても、シャックルロッド４とシャックルパイプ８との衝突による不快な音の発生を防止することができる。
【００２２】
実施の形態２．
図３はこの発明の実施の形態２におけるエレベータの秤装置の図２相当図である。なお、実施の形態１と同一又は相当部分には同一符号を付して説明を省略する。
実施の形態１においては、シート１１は、横断面略円状に形成されていた。一方、実施の形態２においては、シート１２は、横断面略波目状に形成されている。
【００２３】
かかる構成のエレベータの秤装置において、かごの振動や揺れが発生すると、シャックルロッド４外周面がシャックルパイプ８内周面の一側に近づくように移動する。そして、シャックルロッド４外周面は、シャックルパイプ８内周面の一側で、シート１２のシャックルロッド４側山部と接触する。しかし、シート１２は柔軟であるため、シート１２とシャックルロッド４との接触音はほとんど発生しない。
【００２４】
さらに、シート１２は、シャックルロッド４に押される。これにより、シート１２のシャックルパイプ８側山部が、シャックルパイプ８内周面の一側に接触する。しかし、シート１２は柔軟であるため、シート１２とシャックルパイプ８との接触音はほとんどしない。
【００２５】
そして、さらに、シート１２がシャックルロッド４に押されると、シャックルパイプ８内周面の一側で、シート１２が、横断面略波目状から横断面略円弧状に弾性変形する。この弾性変形力を受けて、シャックルロッド４は、移動速度を減少させる。そして、シート１２は、シャックルロッド４外周面とシャックルパイプ８内周面に挟まれる。これにより、シャックルロッド４とシャックルパイプ８の接触が防止される。
【００２６】
以上で説明した実施の形態２によれば、シート１２が横断面略波目状に形成される。そして、かごの振動や揺れが発生した場合、シャックルロッド４は、シート１２の弾性変形力を受けて、移動速度を減少させる。このため、シャックルロッド４外周面とシャックルパイプ８内周面に挟まれるときの衝突力が緩和される。即ち、シャックルロッド４とシャックルパイプ８との衝突による不快な音の発生をより確実に防止することができる。
【符号の説明】
【００２７】
１  支持体、    ２  貫通穴、  ３  第１ばね座、  ４  シャックルロッド、
５  ナット、  ６  第２ばね座、  ７  シャックルバネ、  ８  シャックルパイプ、
９  ナット、  １０  検出板、  １１  シート、  １２  シート
【図１】
2010179979.tif 000003
【図２】
2010179979.tif 000004
【図３】
2010179979.tif 000005